(57)【特許請求の範囲】
【請求項１】
ユニットバスを設置する住居に対応した柱欠き部が切削加工された床パンを、前記住居に設置する床パン設置構造であり、
前記柱欠き部の平面視Ｌ字状の切削小口に沿って前記床パンの下面に固定される平面視Ｌ字状の補強フレームと、
前記補強フレームの下部に取り付けられるアジャスターボルトと、  
前記切削小口に沿って前記床パンの上面に固定される平面視Ｌ字状の幅木部材と、
前記幅木部材を覆うように装着される平面視Ｌ字状の幅木カバーとを、具備し、
前記床パンの前記柱欠き部の周縁部分が、ともに平面視Ｌ字状である前記補強フレームと前記幅木部材とで、上下に挟み込まれるように設けたことを特徴とする床パン設置構造。
【請求項２】
前記幅木部材と前記床パンとの間に、防水パッキンが介在されることを特徴とする請求項１に記載の床パン設置構造。
【発明の詳細な説明】
【技術分野】
【０００１】
本発明は、柱欠きに対応して床パンを設置するための技術に関する。
【背景技術】
【０００２】
ユニットバスの床パンを設置するための構造として、アジャスターボルト等を用いて施行作業性を向上させたものが、特許文献１等に提案されている。
【先行技術文献】
【特許文献】
【０００３】
【特許文献１】特開２００３−２７８２０７号公報
【発明の概要】
【発明が解決しようとする課題】
【０００４】
床パンを設置するに際して、住居の柱欠きに対応した構造で床パンを設置したいという要望が、従来から存在する。これに対して、その柱欠きに対応した専用形状の床パンを製造することが考えられるが、床パンを製造するための金型は高価であることから、金型をその都度製造することは、コスト面で問題がある。
【０００５】
本発明は、前記問題点に鑑みて発明したものであって、床パン用の金型を専用形状で製造せずとも、住居の柱欠きに対応した構造で床パンを設置することのできる床パン設置構造を提案することを、課題とする。
【課題を解決するための手段】
【０００６】
前記課題を解決するために、本発明を、下記構成を具備する床パン設置構造とする。
【０００７】
つまり、本発明は、ユニットバスを設置する住居に対応した柱欠き部が切削加工された床パンを、前記住居に設置する床パン設置構造であり、前記柱欠き部の平面視Ｌ字状の切削小口に沿って前記床パンの下面に固定される平面視Ｌ字状の補強フレームと、前記補強フレームの下部に取り付けられるアジャスターボルトと、前記切削小口に沿って前記床パンの上面に固定される平面視Ｌ字状の幅木部材と、前記幅木部材を覆うように装着される平面視Ｌ字状の幅木カバーとを具備し、前記床パンの前記柱欠き部の周縁部分が、ともに平面視Ｌ字状である前記補強フレームと前記幅木部材とで、上下に挟み込まれるように設けたことを特徴とする。
【０００８】
本発明においては、前記幅木部材と前記床パンとの間に、防水パッキンが介在されることが好ましい。
【発明の効果】
【０００９】
本発明によれば、柱欠き部が切削加工された床パンを設置して、柱欠きに対応したユニットバスを構成することができるため、床パン用の金型を専用形状で製造する必要がなく、コスト低減が実現されるという効果を奏する。
【図面の簡単な説明】
【００１０】
【図１】本発明の一実施形態の床パン設置構造の要部を示す斜視図である。
【図２】同上の床パン設置構造の要部を示す断面図である。
【図３】同上の床パン設置構造を概略的に示す平面図である。
【発明を実施するための形態】
【００１１】
本発明を、添付図面に示す実施形態に基づいて説明する。図１、図２には、本発明の一実施形態の床パン設置構造の要部を示しており、図３は、この設置構造によって設置される床パン２全体を概略的に平面視したものである。
【００１２】
本実施形態において設置される床パン２は、その角部分に柱欠き部４を有するものである。図３に想像線で示すように、床パン２は、金型を用いて成型された時点では平面視矩形状の外形を有し、成形後の切削加工でその角部分を柱形状に切除することで、柱欠き部４を形成している。そのため、切削加工後の柱欠き部４には、平面視においてＬ字状の切削小口６（図１、図３参照）が形成される。
【００１３】
このような柱欠き部４が切削加工された床パン２を設置するために、本実施形態の床パン設置構造では、金属製の補強フレーム８、アジャスターボルト１０、幅木部材１２、幅木カバー１４、防水パッキン１６等を用いる。
【００１４】
補強フレーム８は、柱欠き部４の縁（つまり床パン２に加工した切削小口６に沿う）ようにＬ字状の寸法形状に設けた鉄製の中空フレームであり、床パン２の下面において柱欠き部４に隣接して固定される。補強フレーム８の床パン２への固定には、接着剤１８と固定ネジ２０が用いられる。
【００１５】
アジャスターボルト１０は、補強フレーム８の下面に溶接したアジャスターナット２２に対して、上下位置調整自在に装着される。アジャスターナット２２は、平面視Ｌ字状である補強フレーム８の両端部分と、中央の角部分に溶接される。このアジャスターナット２２に装着されるアジャスターボルト１０は、図３に示すように、床パン２の柱欠き部４の縁に沿って固定される金属製の補強フレーム８を、三点で強固に支持する。
【００１６】
幅木部材１２は、補強フレーム８と同様に、柱欠き部４の縁に沿うＬ字状の寸法形状を有する。幅木部材１２は、床パン２の上面において柱欠き部４に隣接して固定される。幅木部材１２の床パン２への固定には、固定ネジ２０が用いられる。この固定ネジ２０は、補強フレーム８を床パン２に固定するものと同一であり、換言すれば、この固定ネジ２０によって、補強フレーム８と幅木部材１２とが床パン２を介してネジ固定される。
【００１７】
つまり、本実施形態では床パン２の柱欠き部４の周縁部分に、この周縁部分を上下に挟み込むように補強フレーム８と幅木部材１２が固定され、下側に位置する補強フレーム８が、複数個所においてアジャスターボルト１０で支持される。これにより、床パン２のうち切削加工により強度が低下する柱欠き部４付近の箇所が、簡単な施行作業で効果的に補強される。
【００１８】
また、本実施形態では、床パン２と幅木部材１２との間に、防水パッキン１６とシリコン２４を介在させ、防水性を高めている。防水パッキン１６には、固定ネジ２０が貫通される。即ちこの固定ネジ２０によって、補強フレーム８、床パン２、防水パッキン１６及び幅木部材１２が一体に固定される。
【００１９】
幅木カバー１４は、幅木部材１２の上面と内側面を覆うように成形された平面視Ｌ字型の部材である。幅木カバー１４は、幅木部材１２の上面を覆うように載置される上部カバー２６と、上部カバー２６の一方の側端縁から下方に延設されて幅木部材１２の内側面を覆うように配置される側部カバー２８と、側部カバー２８の下端縁から側方に延設される下フランジ部３０とを有する。更に、幅木カバー１４は、上部カバー２６の他方の側端縁から上方に延設される上フランジ部３２を有する。幅木カバー１４が有する各部２６，２８，３０，３２は、いずれも平面視Ｌ字状をなす。
【００２０】
幅木カバー１４が有する下フランジ部３０と、床パン２の上面との間には、防水パッキン３４とシリコン３６を介在させる。これにより、防水性が更に高められる。防水パッキン３４は、幅木部材１２の下方に配される防水パッキン１６と別体であるが、一体に設けてもよい。
【００２１】
幅木カバー１４を幅木部材１２に被せてセットしたとき、幅木カバー１４が有する上部カバー２６の上面は、床パン２が周縁部に有するパネル載置面３８と面一に配置される。パネル載置面３８は、床パン２の周縁から立設される立ち上がり片４０の上部に形成される水平面であり、浴室ユニットの壁パネル４２（図２参照）が、このパネル載置面３８と上部カバー２６の上面とに載置される。また、幅木カバー１４をセットしたとき、幅木カバー１４が有する上フランジ部３２は、床パン２が有する立ち上がり片４０の上縁部４４と水平方向に連続するように配置される。床パン２の立ち上がり片４０のパネル載置面３８に載置された壁パネル４２は、この立ち上がり片４０の上縁部４４に側方から当接して係止され、且つ、幅木カバー１４の上フランジ部３２に側方から当接して係止される。
【００２２】
以上のように、本実施形態の床パネル設置構造は、柱欠き部４が切削加工された床パン２を設置するための床パン設置構造であり、柱欠き部４の切削小口６に沿って床パン２の下面に固定される補強フレーム８と、補強フレーム８の下部に取り付けられるアジャスターボルト１０と、切削小口６に沿って床パン２の上面に固定される幅木部材１２と、幅木部材１２を覆うように装着される幅木カバー１４とを具備する。
【００２３】
この構造によれば、床パン２については共通の金型で成型し、成形後の床パン２に対して切削加工を施すことで、ユニットバスを設置する住居に対応した柱欠き部４を形成し、この柱欠き部４を有する床パン２を、十分な強度及び防水性で設置することができる。つまり、床パン２を成形するための金型をその都度製造せずとも、ユニットバスを設置したい住居の柱欠きに対応した構造で、床パン２を設置することが可能となる。
【００２４】
また、本実施形態の床パン設置構造では、幅木部材１２と床パン２との間に、防水パッキン３４が介在されている。この構造により、柱欠き部４付近の防水性をより向上させることが可能となる。
【００２５】
以上、本発明を添付図面に示す実施形態に基づいて説明したが、本発明は前記実施形態に限定されるものではなく、本発明の意図する範囲内であれば、適宜の設計変更を行うことが可能である。
【符号の説明】
【００２６】
２  床パン
４  柱欠き部
６  切削小口
８  補強フレーム
１０  アジャスターボルト
１２  幅木部材
１４  幅木カバー
１６  防水パッキン
【図１】
0005914796.tif 000002
【図２】
0005914796.tif 000003
【図３】
0005914796.tif 000004